【手続補正書】
【提出日】平成28年9月23日(2016.9.23)
【手続補正１】
【補正対象書類名】特許請求の範囲
【補正対象項目名】請求項５
【補正方法】変更
【補正の内容】
【請求項５】
請求項４に記載した荷締め用ベルトにおいて、
前記ゲート体は、
先端上面が中心部から外側に向かって前記基部側に傾斜する傾斜面で構成されており、
前記引掛け部は、
先端部が前記ゲート体の先端上面の外周における前記引掛け部側の形状に沿った形状に形成されていることを特徴とする荷締め用ベルト。
【手続補正２】
【補正対象書類名】明細書
【補正対象項目名】０００４
【補正方法】変更
【補正の内容】
【０００４】
しかしながら、上記特許文献１に記載された荷締め用ロープにおいては、ロープの長さが固定なため固定できる荷物の大きさに制限があるとともに、ロープが弾性体で構成されているため固定した物品の安定性が悪いという問題がある。また、上記特許文献２に記載された荷締め用ベルトにおいては、物品をベルト両端部で二点留めするため物品を安定的に固定することが困難であるという問題がある。特に、凹凸が激しい物品（例えば、車両用のエンジンやトランスミッションなど）である異形物においては、必ずしもバックルを最適な位置に配置することができず、物品の安定的な固定がより困難であるという問題があった。
【手続補正３】
【補正対象書類名】明細書
【補正対象項目名】０００５
【補正方法】変更
【補正の内容】
【０００５】
本発明は上記問題に対処するためなされたもので、その目的は、荷物を安定的に固定することができる荷締め用ベルトを提供することにある。
【手続補正４】
【補正対象書類名】明細書
【補正対象項目名】００１３
【補正方法】変更
【補正の内容】
【００１３】
このように構成した本発明の他の特徴によれば、荷締め用ベルトは、調整用ベルト体および前記二股用ベルト体における各フックが平板を略Ｊ字状に屈曲させたフラットフック本体とこのフラットフック体における屈曲部に対向する開口部分に同開口部分を開閉するゲート体とが設けられている。すなわち、荷締め用ベルトは、フックにおけるフラットフック体が平板を屈曲させて構成されているため、フックを引掛ける被引掛け体がフラットフック体を構成する平板に平行に延びる形状に限定されるため、フックを誤った箇所に引掛けることを防止できるとともに引掛けられたフックの捻じれやズレを防止することができる。また、荷締め用ベルトは、フックにおけるフラットフック体の開口部にゲート体が設けられているため、フックが被引掛け体から外れることを防止することができる。特に、荷締め用ベルトで荷物を縛る際においては、各ベルトの一時的な緩みによるフックの脱落を防止できるため荷締め作業を効率的に行うことができる。
【手続補正５】
【補正対象書類名】明細書
【補正対象項目名】００１４
【補正方法】変更
【補正の内容】
【００１４】
また、本発明の他の特徴は、前記荷締め用ベルトにおいて、ゲート体は、先端上面が中心部から外側に向かって基部側に傾斜する傾斜面で構成されており、引掛け部は、先端部がゲート体の先端上面の外周における引掛け部側の形状に沿った形状に形成されていることにある。
【手続補正６】
【補正対象書類名】明細書
【補正対象項目名】００１６
【補正方法】変更
【補正の内容】
【００１６】
【図１】本発明の一実施形態に係る荷締め用ベルトの外観構成の概略を示す平面図である。
【図２】図１に示した荷締め用ベルトを用いて荷物をパレット上に固定した使用状態を示す斜視図である。
【図３】図１に示した荷締め用ベルトにおける長さ調整用ベルト体の外観構成の概略を示しており、（Ａ）は長さ調整用ベルト体の平面図であり、（Ｂ）は長さ調整用ベルト体の正面図である。
【図４】図１に示した荷締め用ベルトにおける二股用ベルト体の外観構成の概略を示しており、（Ａ）は二股用ベルト体の平面図であり、（Ｂ）は二股用ベルト体の正面図である。
【図５】図１に示した荷締め用ベルトにおけるロック体の外観構成の概略を示しており、（Ａ）は長さロック体の平面図であり、（Ｂ）はロック体の正面図である。
【図６】図１に示した荷締め用ベルトにおけるフックの外観構成の概略を示しており、（Ａ）はフックの一部破断正面図であり、（Ｂ）はフックの平面図あり、（Ｃ）はフックの底面図であり、（Ｄ）はフックの左側面図あり、（Ｅ）はフックの右側面図ある。
【図７】図６に示したフックの使用状態を示しており、（Ａ）はフックに被引掛け体を挿入する際の状態を示した正面図であり、（Ｂ）はフックに被引掛け体を挿入してロックした状態を示した正面図である。
【手続補正７】
【補正対象書類名】明細書
【補正対象項目名】００２２
【補正方法】変更
【補正の内容】
【００２２】
フック１３０は、図４（Ａ）〜（Ｅ）にそれぞれ示すように、ベルト体１１１の一方の端部をパレット９０の被引掛け体９２に着脱自在に引っ掛けるための金属製の部品であり、主として、フラットフック本体１３１およびゲート体１３２によって構成されている。これらのうち、フラットフック本体１３１は、ベルト１１１に連結される部分であるとともに被引掛け体９２に引っ掛けられる部分であり、平板を略Ｊ字状に折り曲げて形成されている。
【手続補正８】
【補正対象書類名】明細書
【補正対象項目名】００３１
【補正方法】変更
【補正の内容】
【００３１】
このベルト１４１には、ベルト１４１を保護するための保護スリーブ１２０が設けられているとともに、ベルト１４１の両端部にベルト１４１の両端部をそれぞれ被引掛け体９２に引っ掛けるためのフック１３０がそれぞれ取り付けられている。これらの保護スリーブ１２０およびフック１３０は、前記長さ調整用ベルト１１０における保護スリーブ１２０およびフック１３０と同じ構成であるため、その説明を省略する。なお、ベルト１４１の両端部にそれぞれ設けられた２つのフック１３０は、それぞれ表裏面が逆に取り付けられている。
【手続補正９】
【補正対象書類名】明細書
【補正対象項目名】００４１
【補正方法】変更
【補正の内容】
【００４１】
また、パレット９０における４つの側面のうちの前記１組の側面とは異なる互いに対向する残りの２つの側面からなるもう１組の側面にはフック１３０を引っ掛けるための被引掛け体９２がそれぞれ張り出した状態で設けられている。この場合、被引掛け体９２は、フック１３０における引掛け部１３１ｃ内に収まる外径の丸棒で構成されており、各側面の長手方向に沿って延びて形成されている。なお、図２においては、互いに対向する２つの側面にそれぞれ形成される被引掛け体９２のうちの一方（図示手前側）のみ示している。
【手続補正１０】
【補正対象書類名】明細書
【補正対象項目名】００４２
【補正方法】変更
【補正の内容】
【００４２】
パレット９０上に荷物ＷＫを固縛する作業者は、まず、パレット９０上に荷物ＷＫを載置した後、荷締め用ベルト１００を用意する。この場合、作業者は、ロック体１５０に対して予め長さ調整用ベルト体１１０および二股用ベルト１４０体がそれぞれ連結された状態の荷締め用ベルト１００を用意することができるが、荷物ＷＫの大きさや形状に合った荷締め用ベルト１００を調製して用意することもできる。すなわち、作業者は、予め複数種類の長さの長さ調整用ベルト体１１０および二股用ベルト体１４０をそれぞれ製作しておき、固縛作業時に荷物ＷＫの大きさや形状に合った長さの長さ調整用ベルト体１１０および二股用ベルト体１４０を選択してロック体１５０とともに用意することができる。
【手続補正１１】
【補正対象書類名】明細書
【補正対象項目名】００４３
【補正方法】変更
【補正の内容】
【００４３】
次に、作業者は、長さ調整用ベルト体１１０、二股用ベルト体１４０およびロック体１５０をそれぞれ個別に用意した場合には、ロック体１５０に対して長さ調整用ベルト体１１０および二股用ベルト体１４０をそれぞれ連結する。具体的には、作業者は、ロック体１５０におけるベルト固定具１５１に長さ調整用ベルト体１１０におけるベルト１１１を通すとともに、ロック体１５０におけるリング体１５３に二股ベルト体１４０におけるベルト１４１を通す。この場合、作業者は、ロック体１５０に長さ調整用ベルト１１０を連結する際、ベルト固定具１５１からフック１３０側に延びるベルト１１１の長さを荷物ＷＫを固縛するために最終的に必要となる長さ以上の長さに調整しておく。これにより、ロック体１５０に対して長さ調整用ベルト体１１０および二股用ベルト体１４０がそれぞれ連結されて一体となった荷締め用ベルト１００が形成される。
【手続補正１２】
【補正対象書類名】明細書
【補正対象項目名】００４４
【補正方法】変更
【補正の内容】
【００４４】
次に、作業者は、荷締め用ベルト１００を荷物ＷＫを介してパレット９０に掛ける。具体的には、作業者は、二股用ベルト体１４０における２つのフック１３０をそれぞれパレット９０における被引掛け体９２にそれぞれ引掛ける。より具体的には、作業者は、図７（Ａ）に示すように、フック１３０におけるピン体１３３の先端部１３３ｂに被引掛け体９２を押し付ける。これにより、フック１３０におけるピン体１３３は、スプリング１３４の弾性力に抗しながらスライドして先端部１３３ｂが基部１３１ａ側に向かって変位する（図において破線矢印参照）。
【手続補正１３】
【補正対象書類名】明細書
【補正対象項目名】００４７
【補正方法】変更
【補正の内容】
【００４７】
次いで、作業者は、長さ調整用ベルト体１１０におけるフック１３０を二股用ベルト体１４０における２つのフック１３０と同様の要領でパレット９０の被引掛け体９２に引っ掛ける。この場合、作業者は、既にパレット９０の一方の被引掛け体９２に二股用ベルト体１４０における２つのフック１３０がそれぞれゲート体１３２によってロック状態となっているため、長さ調整用ベルト体１１０のフック１３０をパレット９０の被引掛け体９２に引掛ける際に二股用ベルト体１４０の２つのフック１３０が被引掛け体９２から外れることが防止される。
【手続補正１４】
【補正対象書類名】明細書
【補正対象項目名】００５２
【補正方法】変更
【補正の内容】
【００５２】
次に、作業者は、パレット９０上に荷締め用ベルト１００によって固縛された荷物ＷＫを輸送または保管する。この場合、荷締め用ベルト１００は、ロック体１５０を介した長さ調整用ベルト体１１０および二股ベルト体１４０によって荷物ＷＫを３点で固定するため、荷物ＷＫを安定的に固定することができる。また、荷締め用ベルト１００は、フック１３０の基部１３１ａおよび引掛け部１３１ｃがそれぞれ平板状に形成されてフック１３０が被引掛け部９２の長手方向に沿って引っ掛かっているため、外部から振動や突発的な力が作用した場合であっても被引掛け体９２からの位置ずれが防止されて緊縛力を維持することができる。また、この場合、荷締め用ベルト１００は、ゲート体１３２によってフック１３０が被引掛け体９２から外れることも防止されている。
【手続補正１５】
【補正対象書類名】明細書
【補正対象項目名】００６０
【補正方法】変更
【補正の内容】
【００６０】
ＷＫ…荷物、Ｐ１，Ｐ２…凸部、
９０…パレット、９１…フォーク挿入孔、９２…被引掛け体、
１００…荷締め用ベルト、
１１０…長さ調整用ベルト体、１１１…ベルト、
１２０…保護スリーブ、
１３０…フック、１３１…フラットフック本体、１３１ａ…基部、１３１ｂ…ベルト接続部、１３１ｃ…引掛け部、１３２…ゲート体、１３３…ピン体、１３３ａ…ピン本体、１３３ｂ…先端部、１３４…スプリング、
１４０…二股用ベルト体、１４１…ベルト、
１５０…ロック体、１５１…ベルト固定具、１５１ａ…押圧片、１５１ｂ…トーションコイルスプリング、１５２…連結ベルト、１５３…リング体、１５４…荷物保護体、１５４ａ…本体部、１５４ｂ…拡張部、１５４ｃ…切れ目。
【手続補正１６】
【補正対象書類名】図面
【補正対象項目名】図４
【補正方法】変更
【補正の内容】
【図４】
2015067293.tif 000001
【手続補正１７】
【補正対象書類名】図面
【補正対象項目名】図７
【補正方法】変更
【補正の内容】
【図７】
2015067293.tif 000002